(57)【特許請求の範囲】
【請求項１】
ケースと、
上記ケースの内側に配置されたマグネットと、
上記マグネットの内周側に配置され、上記ケースに回転可能に支持されたアーマチュアと、
上記アーマチュアのコンミュテータに電気的に接続可能にして該コンミュテータの外側に配置されるブラシと、
上記ブラシをコンミュテータに対し押圧するブラシばねと、
上記ケースの端部に配置され、上記コンミュテータの径方向に移動可能に上記ブラシを保持し、且つ上記ブラシばねを保持する一対のブラシガイド部をもつとともに、該ブラシガイド部からコンミュテータの径方向に離れて配置され、ブラシに一端が係止されたブラシばねの他端に係止可能にして該ブラシばねを保持するストッパ部をもつブラシボックスが一体成形されたホルダベースを備えていることを特徴とする小型モータ。
【請求項２】
ホルダベースのブラシボックスには、ブラシガイド部のそれぞれのあいだに、ブラシの幅寸法およびブラシばねの幅寸法よりもわずかに大きい間隔のブラシ支持部が形成されているとともに、ブラシガイド部のそれぞれの上端部に配置され、それぞれの間隔がブラシの幅寸法およびブラシばねの幅寸法よりも小さく形成され、該ブラシガイド部のそれぞれの間に収容されたブラシおよびブラシばねの抜けを阻止する抜け止め部が形成されていることを特徴とする請求項１に記載の小型モータ。
【請求項３】
ホルダベースのブラシボックスには、ストッパ部の上端部に配置され、ブラシばねの他端の側部に係止するずれ止め部が形成されていることを特徴とする請求項１または２に記載の小型モータ。
【請求項４】
ホルダベースのブラシボックスには、一対のブラシガイド部とストッパ部とのあいだに、ブラシガイド部のそれぞれの端部からストッパ部にまで連設されていて、ブラシばねの側部に当接する押さえ板部が形成されていることを特徴とする請求項１に記載の小型モータ。
【請求項５】
ホルダベースのブラシボックスには、一対のブラシガイド部がホルダベースの上面に配置され、一対のブラシガイド部のあいだに、ホルダベースの上面から下がって形成されたばり逃げ溝を備えていることを特徴とする請求項１に記載の小型モータ。
【請求項６】
ホルダベースのブラシボックスには、下面からばり逃げ溝まで貫通した金型押圧治具挿通孔が形成され、ホルダベースのブラシボックスは、一対のブラシガイド部の外側部分およびストッパ部の外側部分を成形するための第１の金型の内側に、第１の金型とは独立していて一対のブラシガイド部の内側部分およびストッパ部の内側部分を成形するための第２の金型が配置され、第１の金型が開かれた後に、該金型押圧治具挿通孔から金型押圧治具が一対のブラシガイド部の内側に挿通されて第２の金型がブラシの移動方向に対して直交する方向に押圧されて外れることにより成形されていることを特徴とする請求項５に記載の小型モータ。
【発明の詳細な説明】
【０００１】
【発明の属する技術分野】
この発明は、車両用アンチブレーキロック装置においてブレーキ液の液圧を高めるアクチュエータなどの動力源にされる小型モータに関する。
【０００２】
【従来の技術】
車両用アンチブレーキロック装置においてアクチュエータなどの動力源となる小型モータとしては、ケースの内側にマグネットが固定され、マグネットの内側に、アーマチュアがケースに回転可能に支持されているものが知られている。ケースには樹脂製のホルダベースが取付けられており、このホルダベースにブラシボックスが形成されている。ブラシボックス内には、コンミュテータの径方向に移動可能にブラシが収容されているとともに、アーマチュアのコンミュテータに電気的に接続可能にブラシを押圧するブラシばねが収容されている。
【０００３】
【発明が解決しようとする課題】
上記した小型モータは、ブラシボックスを一体にしてホルダベースを成形するためのスライド金型が複雑であり、それによって金型にかかる費用がかさむという問題点があった。また、ホルダベースの成形にあたり、ブラシボックス部分でスライドできる寸法が小さいため、長さの大きいブラシを保持できるブラシボックスが得難いという問題点があった。
【０００４】
【発明の目的】
この発明に係わる小型モータは、極めて簡素な構造で長さの大きいブラシボックスをホルダベースに一体成形した小型モータを提供することを目的としている。
【０００５】
【発明の構成】
【０００６】
【課題を解決するための手段】
この発明の請求項１に係わる小型モータでは、ケースと、ケースの内側に配置されたマグネットと、マグネットの内周側に配置され、ケースに回転可能に支持されたアーマチュアと、アーマチュアのコンミュテータに電気的に接続可能にしてコンミュテータの外側に配置されるブラシと、ブラシをコンミュテータに対し押圧するブラシばねと、ケースの端部に配置され、コンミュテータの径方向に移動可能にブラシを保持し、且つブラシばねを保持する一対のブラシガイド部をもつとともに、ブラシガイド部からコンミュテータの径方向に離れて配置され、ブラシに一端が係止されたブラシばねの他端に係止可能にしてブラシばねを保持するストッパ部をもつブラシボックスが一体成形されたホルダベースを備えている構成としたことを特徴としている。
【０００７】
この発明の請求項２に係わる小型モータでは、ホルダベースのブラシボックスには、ブラシガイド部のそれぞれのあいだに、ブラシの幅寸法およびブラシばねの幅寸法よりもわずかに大きい間隔のブラシ支持部が形成されているとともに、ブラシガイド部のそれぞれの上端部に配置され、それぞれの間隔がブラシの幅寸法およびブラシばねの幅寸法よりも小さく形成され、ブラシガイド部のそれぞれの間に収容されたブラシおよびブラシばねの抜けを阻止する抜け止め部が形成されている構成としたことを特徴としている。
【０００８】
この発明の請求項３に係わる小型モータでは、ホルダベースのブラシボックスには、ストッパ部の上端部に配置され、ブラシばねの他端の側部に係止するずれ止め部が形成されている構成としたことを特徴としている。
【０００９】
この発明の請求項４に係わる小型モータでは、ホルダベースのブラシボックスには、一対のブラシガイド部とストッパ部とのあいだに、ブラシガイド部のそれぞれの端部からストッパ部にまで連設されていて、ブラシばねの側部に当接する押さえ板部が形成されている構成としたことを特徴としている。
【００１０】
この発明の請求項５に係わる小型モータでは、ホルダベースのブラシボックスには、一対のブラシガイド部がホルダベースの上面に配置され、一対のブラシガイド部のあいだに、ホルダベースの上面から下がって形成されたばり逃げ溝を備えている構成としたことを特徴としている。
【００１１】
この発明の請求項６に係わる小型モータでは、ホルダベースのブラシボックスには、下面からばり逃げ溝まで貫通した金型押圧治具挿通孔が形成され、ホルダベースのブラシボックスは、一対のブラシガイド部の外側部分およびストッパ部の外側部分を成形するための第１の金型の内側に、第１の金型とは独立していて一対のブラシガイド部の内側部分およびストッパ部の内側部分を成形するための第２の金型が配置され、第１の金型が開かれた後に、金型押圧治具挿通孔から金型押圧治具が一対のブラシガイド部の内側に挿通されて第２の金型がブラシの移動方向に対して直交する方向に押圧されて外れることにより成形されている構成としたことを特徴としている。
【００１２】
【発明の作用】
この発明の請求項１に係わる小型モータにおいて、ブラシは、ホルダベースに一体成形されたブラシボックスの一対のブラシガイド部内に保持されながらコンミュテータの径方向に移動する。そして、一端が一対のブラシガイド部内でブラシに係止されていてブラシガイドに保持されたブラシばねは、他端がホルダベースに一体成形されたブラシボックスのストッパ部に係止される。それ故、一対のブラシガイド部を覆うような蓋部材などを不要としてブラシおよびブラシばねがそれぞれ保持される。
【００１３】
この発明の請求項２に係わる小型モータにおいて、ブラシおよびブラシばねは、ブラシガイド部のそれぞれの上端部に、それぞれの間隔がブラシの幅寸法およびブラシばねの幅寸法よりも小さく形成された抜け止め部によって抜け落ちが阻止される。それ故、請求項１の作用に加え、ブラシおよびブラシばねは、ブラシガイド部のそれぞれのあいだにあるブラシ支持部に確実に保持される。
【００１４】
この発明の請求項３に係わる小型モータにおいて、一端が一対のブラシガイド部内でブラシに係止されたブラシばねは、他端がストッパ部に係止されるとともに、他端の側部がストッパ部の上端部でずれ止め部に係止する。それ故、請求項１および２の作用に加え、ブラシばねの他端は、ブラシがコンミュテータに圧接する際に発生する振動が伝わったとしても、ストッパ部から容易に外れない。
【００１５】
この発明の請求項４に係わる小型モータにおいて、一端が一対のブラシガイド部内でブラシに係止されたブラシばねは、他端がストッパ部に係止されるとともに、他端の側部が一対のブラシガイド部とストッパ部とのあいだに形成された押さえ板部に当接する。それ故、請求項１の作用に加え、ブラシばねは、ブラシがコンミュテータに圧接する際に発生する振動が伝わって長さ方向に対して曲がろうとしても、押さえ板部によって曲がることがない。
【００１６】
この発明の請求項５に係わる小型モータにおいて、ブラシボックスがホルダベースに一体成形される際に型合わせによるばりが発生したとしても、ばり逃げ溝内にばりが配置される。それ故、請求項１の作用に加え、ブラシが収容される一対のブラシガイド部のあいだにばりが出っ張ることがなく、ブラシの移動が円滑に行われる。
【００１７】
この発明の請求項６に係わる小型モータにおいて、第１の金型と第２の金型とのあいだに樹脂材料が流し込まれた後に、第１の金型が開かれ、金型押圧治具挿通孔から金型押圧治具が一対のブラシガイド部の内側に挿通されて第２の金型がブラシの移動方向に対して直交する方向に押圧されて外れることによって、ホルダベースのブラシボックスが成形される。それ故、請求項１の作用に加え、一対のブラシガイド部は、ブラシの移動方向と同一の方向に開かれる金型を用いずに成形されるため、ブラシの移動方向においての長さ寸法を大きくとれる。
【００１８】
【実施例】
図１ないし図９には、この発明に係わる小型モータの一実施例が示されている。
【００１９】
図示する小型モータ１は、主として、ケース２、第１，第２，第３，第４のマグネット３ａ，３ｂ，４ａ，４ｂ、アーマチュア５、第１，第２，第３，第４のブラシ６，７，８，９、第１，第２，第３，第４のブラシばね１０，１１，１２，１３、ホルダベース１４から構成されている。
【００２０】
ケース２は、ヨーク１５とエンドカバー１６とからなる。ヨーク１５は、円筒形状をなすヨーク本体１５ａの一端側が開放され、外側にフランジ部１５ｂが形成されており、このフランジ部１５ｂがエンドカバー１６に固定されている。
【００２１】
ヨーク本体１５ａの他端側は閉塞された板部１５ｃになっており、この板部１５ｃの中央に他端側軸受１７が取付けられている。また、ヨーク本体１５ａの内側には、第１，第２，第３，第４のマグネット３ａ，３ｂ，４ａ，４ｂが取付けられている。第１，第３のマグネット３ａ，４ａと第２，第４のマグネット３ｂ，４ｂとは内周側にそれぞれ相反する磁力を発生している。
【００２２】
エンドカバー１６は、円形の板状をなすエンドカバー本体１６ａの中央に一端側軸受１８が取付けられている。エンドカバー１６は、エンドカバー本体１６ａの外側にフランジ部１６ｂが形成されている。フランジ部１６ｂはヨーク１５のフランジ部１５ｂに接合されている。
【００２３】
エンドカバー１６の中央に配置された一端側軸受１８と、ヨーク１５の板部１５ｃの中央に配置された他端側軸受１７とには、アーマチュア５に備えたアーマチュアシャフト１９が挿入されている。
【００２４】
アーマチュア５には、アーマチュアシャフト１９、アーマチュアコア２０、コンミュテータ２１、アーマチュアコイル２２が備えられている。
【００２５】
アーマチュアシャフト１９は、シャフト本体１９ａの一端が一端側軸受１８からエンドカバー１６の外側にまで突出しており、一端に図示しない負荷であるポンプに結合される出力側軸受２３が取付けられている。
【００２６】
アーマチュアシャフト１９のほぼ中央にはアーマチュアコア２０が固定されている。アーマチュアコア２０には、スロット数に対応した数の巻回部２０ａが形成されている。
【００２７】
アーマチュアコア２０の近傍には、コンミュテータ２１が固定されている。コンミュテータ２１の外周部には、アーマチュアコア２０の巻回部２０ａと同数のコンミュテータ片２１ａが設けられており、コンミュテータ片２１ａに電気的に接続されたうえで、アーマチュアコア２０の巻回部２０ａにアーマチュアコイル２２が巻回されている。
【００２８】
アーマチュア５のコンミュテータ２１の外周には、第１，第２，第３，第４のブラシ６，７，８，９および第１，第２，第３，第４のブラシばね１０，１１，１２，１３がホルダベース１４上に配置されている。
【００２９】
ホルダベース１４には、円板形状をなすホルダベース本体１４ａの外周部に円筒形のヨーク差し込み部１４ｂが形成されている。ホルダベース１４は、ヨーク差し込み部１４ｂがオー（Ｏ）リング２４を介してヨーク１５の一端側の内側に嵌入されるとともに、ホルダベース本体１４ａの下面１４ａ１にエンドカバー１６が当接することによって、ヨーク１５の一端側とエンドカバー１６とによって挟まれてヨーク１５の内側に固定されている。
【００３０】
ホルダベース本体１４ａのヨーク差し込み部１４ｂの外側には、コネクタ部１４ｃが形成されている。コネクタ部１４ｃは、ヨーク１４の外側に配置されており、このコネクタ部１４ｃの内側には、第１，第２の端子２５，２６が配置されている。第１の端子２５は第１，第３のブラシ６，８にそれぞれ電気的に接続され、第２の端子２６は第２，第４のブラシ７，９にそれぞれ電気的に接続されている。
【００３１】
ホルダベース本体１４ａの中央には、丸孔のシャフト挿通部１４ａ３が形成されている。このシャフト挿通部１４ａ３内には、アーマチュアシャフト１９の一端側が挿通されている。
【００３２】
ホルダベース本体１４ａの上面１４ａ２には、図２に示されるように、第１のブラシボックス２７、第２のブラシボックス２８、第３のブラシボックス２９、第４のブラシボックス３０がそれぞれ形成されている。
【００３３】
第１のブラシボックス２７は第３のブラシボックス２９に対称配置され、第２のブラシボックス２８は第４のブラシボックス３０に対称配置されており、第１のブラシボックス２７内に第１のブラシ６、第１のブラシばね１０が収容され、第２のブラシボックス２８内に第２のブラシ６、第２のブラシばね１１が収容され、第３のブラシボックス２９内に第３のブラシ７、第３のブラシばね１２が収容され、第４のブラシボックス３０内に第４のブラシ８、第４のブラシばね１３が収容されている。
【００３４】
第１、第２、第３、第４のブラシボックス２７、２８、２９、３０はそれぞれ同一の形状であるため、ここでは第１のブラシボックス２７についてのみ説明する。第１のブラシボックス２７は、それぞれ対向配置された第１，第２のブラシガイド部２７ａ，２７ｂと、第１のストッパ部２７ｃとから構成されている。
【００３５】
一対の第１，第２のブラシガイド部２７ａ，２７ｂは、シャフト挿通部１４ａ３の径方向に長さ寸法を有するものとして、シャフト挿通部１４ａ３からホルダベース本体１４ａの外周に向け板状にしてホルダベース本体１４ａの上面１４ａ２からそれぞれ突出形成されている。
【００３６】
第１のブラシガイド部２７ａには、板状の第１のブラシガイド部本体２７ａ１の第２のブラシガイド部２７ｂ側にホルダベース本体１４ａの上面１４ａ２に対してほぼ直交するものとして平面状の第１のブラシ支持部２７ａ２が形成されている。この第１のブラシ支持部２７ａ２がホルダベース本体１４ａの上面１４ａ２から有する高さ寸法は、第１のブラシ６の高さ寸法よりもわずかに大きい。
【００３７】
第１のブラシガイド部本体２７ａ１の先端には、第１のブラシガイド部本体２７ａ１の長さ方向に沿った長さをもち、第１のブラシ支持部２７ａ２の上端部から第２のブラシガイド部２７ｂ側に突出した第１の抜け止め部２７ａ３が形成されている。
【００３８】
第１のブラシガイド部２７ａに対向配置された第２のブラシガイド部２７ｂには、板状の第２のブラシガイド部本体２７ｂ１の第１のブラシガイド部２７ａ側にホルダベース本体１４の上面１４ａ２に対してほぼ直交するものとして平面状の第２のブラシ支持部２７ｂ２が形成されている。この第２のブラシ支持部２７ｂ２がホルダベース本体１４ａの上面１４ａ２から有する高さ寸法は、第１のブラシ６の高さ寸法よりもわずかに大きい。第２のブラシ支持部２７ｂ２と第１のブラシガイド部２７ａの第１のブラシ支持部２７ａ２とが有する間隔は、第１のブラシ６の幅寸法よりもわずかに大きい。そして、第２のブラシ支持部２７ｂ２と第１のブラシガイド部２７ａの第１のブラシ支持部２７ａ２とのあいだは、ホルタベース本体１４ａの上面１４ａ２と同一面のホルダベース本体側ブラシ支持部１４ａ６になっている。
【００３９】
第２のブラシガイド部本体２７ｂ１の上端部には、第２のブラシガイド部本体２７ｂ１の長さ方向に沿った長さをもち、第２のブラシ支持部２７ｂ２の上端部から第１のブラシガイド部２７ａ側に突出した第２の抜け止め部２７ｂ３が形成されている。第２の抜け止め部２７ｂ３と第１のブラシガイド部２７ａの第１の抜け止め部２７ａ３とが有する間隔は、第１のブラシ６の幅寸法および第１のブラシばね１０の外径寸法よりも小さい。そのため、第１，第２のブラシガイド部２７ａ，２７ｂの内側に収容される第１のブラシ６および第１のブラシばね１０は、第１，第２の抜け止め部２７ａ３，２７ｂ３のあいだから飛び出ることがない。
【００４０】
第１のブラシガイド部２７ａと第２のブラシガイド部２７ｂとのあいだに配置されたホルダベース本体側ブラシ支持部１４ａ６には、ばり逃げ溝１４ａ４が形成されている。ばり逃げ溝１４ａ４は、第１のブラシガイド部２７ａの第１のブラシ支持部２７ａ２と第２のブラシガイド部２７ｂの第２のブラシ支持部２７ｂ２との中央に、第１のブラシガイド部２７ａ、第２のブラシガイド部２７ｂの長さ方向に沿ってホルダベース本体１４ａの上面１４ａ２から下がって形成されている。このばり逃げ溝１４ａ４の底面には、第１のブラシガイド部２７ａ、第２のブラシガイド部２７ｂの長さのほぼ中央に丸孔の金型押圧治具挿通孔１４ａ５が形成されている。
【００４１】
金型押圧治具挿通孔１４ａ５は、ホルダベース本体１４ａの下面１４ａ１からばり逃げ溝１４ａ４の底面まで貫通して形成されており、第１のブラシボックス２７において、第１のブラシガイド部２７ａの内側部分および第２のブラシガイド部２７ｂの内側部分を成形するための第２の金型６０を取り外すのに用いられる。その際、金型押圧治具７０をホルダベース本体１４ａの下面１４ａ１側から金型押圧治具挿通孔１４ａ５内に挿入して押圧することによって第２の金型６０が外れる。ばり逃げ溝１４ａ４は、ホルダベース本体１４ａの上面１４ａ２から下がった位置に底面が配置されているため、第２の金型６０によって、第１のブラシボックス２７において第１のブラシガイド部２７ａの内側部分および第２のブラシガイド部２７ｂの内側部分を成形した際に、万が一に、金型押圧治具挿通孔１４ａ５の上面１４ａ２側にばりが発生したとしても、そのばりがばり逃げ溝１４ａ４内に配置されるため、第１のブラシボックス２７の内側において第１のブラシ６が移動するホルダベース本体側ブラシ支持部１４ａ６の面上に出っ張らないようにする機能を有する。
【００４２】
第１，第２のブラシガイド部２７ａ，２７ｂからシャフト挿通部１４ａ３の径方向に沿ってわずかに離れた位置には、第１のストッパ部２７ｃが形成されている。第１のストッパ部２７ｃは、第１，第２のブラシガイド部２７ａ，２７ｂに対して直交する角度でもって、板状にしてホルダベース本体１４ａの上面１４ａ２から突出形成されている。
【００４３】
第１のストッパ部２７ｃには、板状の第１のストッパ部本体２７ｃ１の第１，第２のブラシガイド部２７ａ，２７ｂ側に、ホルダベース本体１４ａの上面１４ａ２に対してほぼ直交するものとして平面状の第１のブラシばね支持部２７ｃ２が形成されている。第１のブラシばね支持部２７ｃ２がホルダベース本体１４ａの上面１４ａ２から有する高さ寸法は、第１のブラシばね１０の外径寸法よりもわずかに大きい。第１のブラシばね支持部２７ｃ２には、第１のブラシばね１０の他端部が当接する。
【００４４】
第１のストッパ部本体２７ｃ１の上端部には、第１のストッパ部本体２７ｃ１の長さ方向に沿った長さをもち、第１のブラシばね支持部２７ｃ２の上端部から第１，第２のブラシガイド部２７ａ，２７ｂ側に突出した第１のずれ止め部２７ｃ３が形成されている。第１のずれ止め部２７ｃ３には、第１のブラシばね１０の他端部の側部が係止するため、この第１のブラシばね１０の他端が第１のブラシばね支持部２７ｃ２から位置ずれしないようにする機能を有する。また、第１のずれ止め部２７ｃ３の第１，第２のブラシガイド部２７ａ，２７ｂの端部からの離間寸法は、第１のブラシ６の長さ寸法および第１のブラシばね１０の長さ寸法よりも小さいため、第１のずれ止め部２７ｃ３と第１，第２のブラシガイド部２７ａ，２７ｂの端部とのあいだから第１のブラシ６、第１のブラシばね１０が飛び出すことはない。
【００４５】
第１のブラシガイド部２７ａと第１のストッパ部２７ｃとのあいだには第１の押さえ板部２７ｄが形成され、第２のブラシガイド部２７ｂと第１のストッパ部２７ｃとのあいだには第２の押さえ板部２７ｅが形成されている。
【００４６】
第１の押さえ板部２７ｄは、第１のブラシガイド部２７ａの高さ寸法よりも小さく、第１のブラシばね１０の外径寸法よりもわずかに大きい寸法の高さ寸法にして、第１のブラシガイド部２７ａの端部から第１のストッパ部２７ｃに連設されている。そして、第１の押さえ板部２７ｄの内面は、第１のブラシガイド部２７ａの第１のブラシ支持部２７ａ２と同一面を形成する平面になっている。
【００４７】
第２の押さえ板部２７ｅは、第２のブラシガイド部２７ｂの高さ寸法よりも小さく、第１のブラシばね１０の外径寸法よりもわずかに大きい寸法の高さ寸法にして、第２のブラシガイド部２７ｂの端部から第１のストッパ部２７ｃに連設されている。そして、第２の押さえ板部２７ｅの内面は、第２のブラシガイド部２７ｂの第２のブラシ支持部２７ｂ２と同一面を形成する平面になっている。
【００４８】
第１，第２の押さえ板部２７ｄ，２７ｅは、それぞれの高さ寸法が第１のブラシばね１０の外径寸法よりも大きく、それぞれの間隔が第１のブラシばね１０の外径寸法よりもわずかに大きくなっているため、この第１のブラシばね１０に曲げ応力が加えられたとしても、曲がらないように支える機能を有する。
【００４９】
第１のブラシボックス２７において、第１のブラシガイド部２７ａと第２のブラシガイド部２７ｂとのあいだに、第１のブラシばね１０を先にして、第１のブラシ６が挿入され、第１のブラシ６に電気的に接続された第１のピグテイル３１が第１のブラシガイド部２７ａと第２のブラシガイド部２７ｂとのあいだから引き出されて第１の端子２５に電気的に接続される。そして、ホルダベース１４のシャフト挿通孔１４ａ３内にアーマチュアシャフト１９が挿入されることによって、コンミュテータ２１のコンミュテータ片２１ａに第１のブラシ６が当接する。このとき、第１のブラシばね１０は、一端部が第１のブラシ６に係止され、他端部が第１のストッパ部２７ｃの第１のブラシばね支持部２７ｃ２に当接することによって弾性的に縮むため、それによって蓄積された弾性反発力により、第１のブラシ６がコンミュテータ２１のコンミュテータ片２１ａに圧接する。
【００５０】
コンミュテータ２１のコンミュテータ片２１ａに圧接する第１のブラシ６は、ホルダベース本体側ブラシ支持部１４ａ６と、第１のブラシガイド部２７ａの第１のブラシ支持部２７ａ１と、第２のブラシガイド部２７ｂの第２のブラシ支持部２７ｂ１とによって、図４中の下方および両側方の３方を支持され、さらに、第１のブラシガイド部２７ａの第１の抜け止め部２７ａ３と、第２のブラシガイド部２７ｂの第２の抜け止め部２７ｂ３とによって図４中の上方を抜け止めされて支持されることにより、蓋部材などの別部品を取付けることなく、コンミュテータ２１の径方向に移動可能にして、第１のブラシボックス２７内に支持される。
【００５１】
ホルダベース１４では、第１のブラシボックス２７内において第１のブラシばね１０によって第１のブラシ６がコンミュテータ２１側に押圧されて収容され、第２のブラシボックス２８内において第２のブラシばね１１によって第２のブラシ７がコンミュテータ２１側に押圧されて収容され、第３のブラシボックス２９内において第３のブラシばね１２によって第３のブラシ８がコンミュテータ２１側に押圧されて収容され、第４のブラシボックス３０において第４のブラシばね１３によって第４のブラシ９がコンミュテータ２１側に押圧されて収容されている。
【００５２】
このような構造をなす第１のブラシボックス２７は、図５ないし図８に示される工程によって図９に示されるように成形される。
【００５３】
図５に示される第１工程では、第１の金型５０、第２の金型６０、第３の金型８０が用いられる。
【００５４】
第１の金型５０は、第１のブラシガイド部２７ａの外側部分、第２のブラシガイド部２７ｂの外側部分および第１のストッパ部２７ｃ（図示しない。）の外側部分を形成するために用いられ、第２の金型６０は、第１のブラシガイド部２７ａの内側部分、第２のブラシガイド部２７ｂの内側部分および第１のストッパ部２７ｃ（図示しない。）の内側部分を形成するために用いられ、第３の金型８０は、金型押圧治具挿通孔１４ａ５を形成するために用いられる。
【００５５】
第１の金型５０および第２の金型６０は、それぞれの先端部を揃えて配置され、これらから図５中下方に離れて第３の金型８０が配置される。そして、第１の金型５０、第２の金型６０および第３の金型８０のそれぞれのあいだに樹脂材料が流し込まれる。
【００５６】
次に、図６に示される第２工程では第３の金型８０が図６中下方に型開きされる。第３の金型８０が開かれることによって、金型押圧治具挿通孔１４ａ５が形成される。
【００５７】
第２工程に続く図７に示される第３工程では、第１の金型５０が図７中上方に型開きされる。第１の金型５０が開かれることによって、第１のブラシガイド部２７ａの外側部分、第２のブラシガイド部２７ｂの外側部分および第１のストッパ部２７ｃの外側部分が形成される。このとき、第１の金型５０に備えたエジェクタピン５０ａがホルダベース成形体１４ｘに当接し、第２の金型６０が第１のブラシガイド部２７ａ、第２のブラシガイド部２７ｂおよび第１のストッパ部２７ｃの内側部分に残された状態で第１の金型５０のみが型開きされる。
【００５８】
そして、第３工程に続く図８に示される第４工程では、第１の金型５０が図８中上方にさらに移動するとともに、既に成形されている金型押圧治具挿通孔１４ａ５に図８中の下方から金型押圧治具７０が押圧挿入されることによって、第２の金型６０が第１の金型５０に係止しつつ図８中上方へ移動するため、第１のブラシガイド部２７ａの内側、第２のブラシガイド部２７ｂの内側、第１のストッパ部２７ｃの内側を外側にそれぞれ押し広げながら移動していき、ホルダベース成形体１４ｘから外れ、図９に示される第１のブラシボックス２７を備えたホルダベース１４が成形される。
【００５９】
図８に示される第４工程において、第１のブラシガイド部２７ａの内側部分、第２のブラシガイド部２７ｂの内側部分、第１のストッパ部２７ｃの内側部分がアンダーカットになっているが、第１の金型５０によって第１のブラシガイド部２７ａの外側、第２のブラシガイド部２７ｂの外側、第１のストッパ部２７ｃの外側がそれぞれ成形されてから、第２の金型６０が金型押圧治具７０によって第１のブラシボックス２７の長さ方向に対し直交する方向に押圧されてホルダベース成形体１４ｘから外れることによって、第１のブラシガイド部２７ａの内側部分、第２のブラシガイド部２７ｂの内側部分、第１のストッパ部２７ｃの内側部分が成形されるので、第１のブラシ６の移動方向と同一の方向に開かれる金型を用いずに簡素な金型構造での成形が行われ、第１のブラシ６の移動方向においての長さ寸法を大きくとれる。
【００６０】
このような構造を有する小型モータ１は、出力側軸受２３の外輪がアクチュエータ内のポンプに結合され、ヨーク１５およびエンドカバー１６がアクチュエータのケースにねじ止めされ、コネクタ１４ｃ内の第１，第２の端子２５，２６が外部のアンチブレーキロック制御回路に電気的に接続されて車両に搭載される。
【００６１】
アンチブレーキロック装置が作動することによって、第１の端子２５に電源の電圧が印加されるとともに、第２の端子２６が接地されると、コンミュテータ２１を通じて、第１のブラシボックス２７に収容された第１のブラシ６、アーマチュアコイル２２、第３のブラシボックス２９に収容された第３のブラシ８に電流が流れる一方、コンミュテータ２１を通じて、第２のブラシボックス２８に収容された第２のブラシ７、アーマチュアコイル２２、第４のブラシボックス３０に収容された第４のブラシ９に電流が流れ、アーマチュアコア２０に磁力が発生する。そして、アーマチュアコア２０が発生した磁力と第１，第２，第３，第４のマグネット３ａ，３ｂ，４ａ，４ｂが発生している磁力とによる電磁誘導によってアーマチュア５が回転し、アーマチュア５の回転力がアーマチュアシャフト１９を通じポンプを作動するものとなる。
【００６２】
上述したように、ホルダベース１４は、第１，第２，第３，第４のブラシ６，７，８，９の移動方向と直交する方向に開かれる第２の金型５０を用いて成形され、第１，第２，第３，第４のブラシ６，７，８，９の移動方向と同一の方向に開かれる金型を用いないから、簡素な金型構造での成形が行われ、第１，第２，第３，第４のブラシ６，７，８，９の移動方向においての長さ寸法を大きくとれるものとなる。
【００６３】
【発明の効果】
以上説明してきたように、この発明の請求項１に係わる小型モータによれば、ブラシは、ホルダベースに一体成形されたブラシボックスの一対のブラシガイド部内に保持されながらコンミュテータの径方向に移動する。そして、一端が一対のブラシガイド部内でブラシに係止されていてブラシガイドに保持されたブラシばねは、他端がホルダベースに一体成形されたブラシボックスのストッパ部に係止される。それ故、一対のブラシガイド部を覆うような蓋部材などを不要としてブラシおよびブラシばねがそれぞれ保持される。よって、極めて簡素な構造で長さの大きいブラシボックスをホルダベースに一体成形することができるという優れた効果を奏する。
【００６４】
この発明の請求項２に係わる小型モータによれば、ブラシおよびブラシばねは、ブラシガイド部のそれぞれの上端部に、それぞれの間隔がブラシの幅寸法およびブラシばねの幅寸法よりも小さく形成された抜け止め部によって抜け止められている。それ故、請求項１の効果に加え、ブラシおよびブラシばねは、ブラシガイド部のそれぞれのあいだにあるブラシ支持部に確実に保持されるという優れた効果を奏する。
【００６５】
この発明の請求項３に係わる小型モータによれば、一端が一対のブラシガイド部内でブラシに係止されたブラシばねは、他端がストッパ部に係止されるとともに、他端の側部がストッパ部の上端部でずれ止め部に係止する。それ故、請求項１および２の効果に加え、ブラシばねの他端は、ブラシがコンミュテータに圧接する際に発生する振動が伝わったとしても、ストッパ部から容易に外れないという優れた効果を奏する。
【００６６】
この発明の請求項４に係わる小型モータによれば、一端が一対のブラシガイド部内でブラシに係止されたブラシばねは、他端がストッパ部に係止されるとともに、他端の側部が一対のブラシガイド部とストッパ部とのあいだに形成された押さえ板部に当接する。それ故、請求項１の効果に加え、ブラシばねは、ブラシがコンミュテータに圧接する際に発生する振動が伝わって長さ方向に対して曲がろうとしても、押さえ板部によって曲がることがないという優れた効果を奏する。
【００６７】
この発明の請求項５に係わる小型モータによれば、ブラシボックスがホルダベースに一体成形される際に型合わせによるばりが発生したとしても、ばり逃げ溝内にばりが配置される。それ故、請求項１の効果に加え、ブラシが収容される一対のブラシガイド部のあいだにばりが出っ張ることがなく、ブラシの移動が円滑に行われるという優れた効果を奏する。
【００６８】
この発明の請求項６に係わる小型モータによれば、第１の金型と第２の金型とのあいだに樹脂材料が流し込まれた後に、第１の金型が開かれ、金型押圧治具挿通孔から金型押圧治具が一対のブラシガイド部の内側に挿通されて第２の金型がブラシの移動方向に対して直交する方向に押圧されて外れることによって、ホルダベースのブラシボックスが成形される。それ故、請求項１の効果に加え、一対のブラシガイド部は、ブラシの移動方向と同一の方向に開かれる金型を用いずに成形されるため、ブラシの移動方向においての長さ寸法を大きくとれるという優れた効果を奏する。
【図面の簡単な説明】
【図１】この発明に係わる小型モータの一実施例の縦断正面図である。
【図２】図１に示した小型モータに用いられるホルダベースの平面図である。
【図３】図２に示したホルダベースのブラシボックスまわりの縦断面図である。
【図４】図２に示したホルダベースのブラシボックスまわりの外観斜視図である。
【図５】図２に示したホルダベースを成形する工程の説明図である。
【図６】図２に示したホルダベースを成形する工程の説明図である。
【図７】図２に示したホルダベースを成形する工程の説明図である。
【図８】図２に示したホルダベースを成形する工程の説明図である。
【図９】図５ないし図８によって成形したホルダベースのブラシボックスまわりの断面図である。
【符号の説明】
１  小型モータ
２  ケース
３ａ  （マグネット）第１のマグネット
３ｂ  （マグネット）第２のマグネット
４ａ  （マグネット）第３のマグネット
４ｂ  （マグネット）第４のマグネット
５  アーマチュア
６  （ブラシ）第１のブラシ
７  （ブラシ）第２のブラシ
８  （ブラシ）第３のブラシ
９  （ブラシ）第４のブラシ
１０  （ブラシばね）第１のブラシばね
１１  （ブラシばね）第２のブラシばね
１２  （ブラシばね）第３のブラシばね
１３  （ブラシばね）第４のブラシばね
１４  ホルダベース
１４ａ４  ばり逃げ溝
１４ａ５  金型押圧治具挿通孔
２１  コンミュテータ
２７  （ブラシボックス）第１のブラシボックス
２７ａ  （ブラシガイド部）第１のブラシガイド部
２７ａ２  （ブラシ支持部）第１のブラシ支持部
２７ａ３  （抜け止め部）第１の抜け止め部
２７ｂ  （ブラシガイド部）第２のブラシガイド部
２７ｂ２  （ブラシ支持部）第２のブラシ支持部
２７ｂ３  （抜け止め部）第２の抜け止め部
２７ｃ  （ストッパ部）第１のストッパ部
２７ｃ３  （ずれ止め部）第１のずれ止め部
２７ｄ  （押さえ板部）第１の押さえ板部
２７ｅ  （押さえ板部）第２の押さえ板部
２８  （ブラシボックス）第２のブラシボックス
２９  （ブラシボックス）第３のブラシボックス
３０  （ブラシボックス）第４のブラシボックス
５０  第１の金型
６０  第２の金型
７０  金型押圧治具
【図１】
0003572359.tif 000002
【図２】
0003572359.tif 000003
【図３】
0003572359.tif 000004
【図４】
0003572359.tif 000005
【図５】
0003572359.tif 000006
【図６】
0003572359.tif 000007
【図７】
0003572359.tif 000008
【図８】
0003572359.tif 000009
【図９】
0003572359.tif 000010